(57)【要約】【課題】入出力ユニットと制御演算ユニットとのチャンネルの対応関係を容易に把握できるようにして、設定操作を容易にする。【解決手段】制御の単位となるグループ毎に、表示領域Ａ１に表示される制御演算ユニットのチャンネルと、表示領域Ａ２に表示される入出力ユニットのチャンネルの背景色を異ならせ、例えば、グループ１に属するチャンネルは、背景色をピンク（Ｐ）とし、グループ２に属するチャンネルは、背景色を黄色（Ｙ）とし、一目で同一のグループに属する入出力ユニットのチャンネルおよび制御演算ユニットのチャンネルの対応関係を把握できるようにしている。【選択図】図６
2008210090.tif 000002
【特許請求の範囲】
【請求項１】
複数の入出力ユニットと、各入出力ユニットからの入力に基づいて制御出力を演算して前記各入出力ユニットに与える制御演算ユニットとを備える制御機器における、前記入出力ユニットのチャンネルと前記制御演算ユニットのチャンネルとの対応関係を、表示手段に表示する方法であって、
前記制御機器は、設定されるグループ毎に制御を行うものであり、
前記入出力ユニットのチャンネルおよび前記制御演算ユニットの対応するチャンネルの背景色を、前記グループ毎に異ならせて表示することを特徴とする表示方法。
【請求項２】
前記グループの設定に基づいて、前記入出力ユニットのチャンネルと前記制御演算ユニットのチャンネルとを対応させて、同一のグループを同一の背景色で表示する請求項１に記載の表示方法。
【請求項３】
前記制御演算ユニットは、前記グループを構成するチャンネル数の最大値が、予め定めた複数の値以外であるときには、使用できないチャンネルが生じる請求項１または２に記載の表示方法。
【請求項４】
前記制御機器が、温度調節器である請求項１〜３のいずれか１項に記載の表示方法。
【請求項５】
複数の入出力ユニットと、各入出力ユニットからの入力に基づいて制御出力を演算して各入出力ユニットに与える制御演算ユニットとを備える制御機器に対する設定を、前記制御機器に接続されるコンピュータ装置から行うとともに、前記入出力ユニットのチャンネルと前記制御演算ユニットのチャンネルとの対応関係を、前記コンピュータ装置の表示手段に表示させる設定用プログラムであって、
前記制御機器は、設定されるグループ毎に制御を行うものであり、
前記表示手段に、前記入出力ユニットのチャンネルおよび前記制御演算ユニットの対応するチャンネルの背景色を、前記グループ毎に、異ならせて表示させることを特徴とする設定用プログラム。
【請求項６】
前記グループの設定に基づいて、前記入出力ユニットのチャンネルと前記制御演算ユニットのチャンネルとを対応させて、同一のグループを同一の背景色で表示させる請求項５に記載の設定用プログラム。
【請求項７】
前記制御演算ユニットは、前記グループを構成するチャンネル数の最大値が、予め定めた複数の値以外であるときには、使用できないチャンネルが生じる請求項５または６に記載の設定用プログラム。
【請求項８】
前記制御機器が、温度調節器である請求項５〜７のいずれか１項に記載の設定用プログラム。
【請求項９】
前記請求項５〜８のいずれか１項に記載の設定用プログラムが記録されたコンピュータに読み取り可能な記録媒体。
【発明の詳細な説明】
【技術分野】
【０００１】
本発明は、温度調節器などの制御機器のパラメータ等の設定を行う場合などに好適な表示方法、それを用いた設定用プログラム、および、このプログラムが記録された記録媒体に関する。
【背景技術】
【０００２】
従来、例えば、温度調節器では、Ｐ，Ｉ，Ｄ定数などの制御パラメータや目標温度などの設定は、当該温度調節器の表示部を見ながらキーを操作することによって行うことが可能であるが、一般に、表示部は、セグメント表示であって、表示内容が分かりにくく、キーの数も限られているために、ユーザは、操作マニュアル等で表示内容を確認しながらキーを操作してパラメータの数値等を順次入力しなければならず、設定操作が煩雑であった。
【０００３】
このため、設定用プログラムを用いて汎用のパソコンなどから温度調節器にパラメータ等を設定することも一般に行われている(例えば、特許文献１参照)。
【０００４】
かかる設定では、例えば、パソコンの画面上には、パラメータなどの設定項目が文字で表示され、ユーザが、その設定項目に対応する数値などを、キーボード等を操作して入力することにより、通信によって、温度調節器に設定されるものである。
【０００５】
一般に、温度制御の制御点数は、アプリケーションによって様々であり、ユーザの要求に対応できるようにするために、温度制御機能を、ユニット化し、複数のユニットを組み合わせて多点の温度制御を行えるようにしたものがある。
【０００６】
すなわち、温度調節器を、温度センサおよびＳＳＲ（ソリッドステートリレー）等のアクチュエータが接続される複数の入出力ユニットと、各入出力ユニットからの入力温度に基づいて、制御演算を行って各入出力ユニットに制御出力（操作量）を与える制御演算ユニットとによって構成したものがある。
【０００７】
また、温度制御には、例えば、本件出願人が既に提案しているように、各チャンネル毎に個別に温度制御するのではなく、複数の制御点に対応する複数の検出温度を、例えば、複数の検出温度の平均温度と、各検出温度間の温度差（傾斜温度）とに変換し、平均温度と傾斜温度とを制御量として温度制御する手法（以下「傾斜温度制御」ともいう）がある（例えば、特許文献２参照）。
【特許文献１】特開平１１−１１０００４号公報
【特許文献２】特許第３２７８８０７号公報
【発明の開示】
【発明が解決しようとする課題】
【０００８】
かかる傾斜温度制御では、複数の制御点の平均温度や温度差を制御量とするために、複数の制御点、すなわち、複数のチャンネルを一つのグループとし、グループ毎に制御する必要があり、したがって、制御パラメータや目標温度などの設定もグループ毎に行う必要がある。
【０００９】
かかる設定を、誤りなく、円滑に行うためには、複数の入出力ユニットのチャンネルおよび制御演算ユニットの演算のためのチャンネルがどのグループに属し、どのように対応しているかを、容易に把握できる必要があるが、一つのグループが、複数の入出力ユニットに跨って構成されたり、制御演算ユニットのチャンネルの割り当てに仕様上の制約があるような場合には、容易に把握することができない。
【００１０】
本発明は、上述の点に鑑みて為されたものであって、入出力ユニットと制御演算ユニットとのチャンネルの対応関係を容易に把握できるようにして、設定操作を容易にすることを目的とする。
【課題を解決するための手段】
【００１１】
（１）本発明の表示方法は、複数の入出力ユニットと、各入出力ユニットからの入力に基づいて制御出力を演算して前記各入出力ユニットに与える制御演算ユニットとを備える制御機器における、前記入出力ユニットのチャンネルと前記制御演算ユニットのチャンネルとの対応関係を、表示手段に表示する方法であって、前記制御機器は、設定されるグループ毎に制御を行うものであり、前記入出力ユニットのチャンネルおよび前記制御演算ユニットの対応するチャンネルの背景色を、前記グループ毎に異ならせて表示するものである。
【００１２】
グループとは、制御を行う単位となるものであり、複数のチャンネルで構成されるのが好ましいが、一つのチャンネルであってもよい。
【００１３】
チャンネルは、制御点に対応するものであり、入出力ユニットは、複数の制御点に対応して複数のチャンネルを有するのが好ましい。
【００１４】
背景色と共に、各グループにおいて割り当てられるチャンネルの番号を表示したり、あるいは、入出力ユニットあるいは制御演算ユニットの本来のチャンネル番号を表示するのが好ましい。
【００１５】
制御機器としては、調節器、計測機器およびＰＬＣ(プログラマブル・ロジック・コントローラ）などが好ましい。
【００１６】
表示手段とは、液晶ディスプレイやＣＲＴなどをいう。
【００１７】
本発明によると、入出力ユニットのチャンネルと制御演算ユニットのチャンネルとの対応関係を、制御が行われるグループ毎に背景色を異ならせて表示するので、一目で、同一のグループに属するチャンネルを把握することができ、グループ毎に、パラメータなどを設定する際の設定操作が容易となる。
【００１８】
(２)本発明の表示方法の一つの実施形態では、前記グループの設定に基づいて、前記入出力ユニットのチャンネルと前記制御演算ユニットのチャンネルとを対応させて、同一のグループを同一の背景色で表示するようにしてもよい。
【００１９】
グループの設定には、各グループを構成するチャンネル数、各グループの最初のチャンネルが割り当てられる入出力ユニットの指定、および、前記最初のチャンネルが割り当てられる入出力ユニットのチャンネルの指定などの設定を含むのが好ましい。
【００２０】
複数の入出力ユニットの各チャンネルは、制御演算ユニットの複数のチャンネルに、順番に割り当てられるのが好ましい。
【００２１】
この実施形態によると、グループの設定に基づいて、各グループ毎に、入出力ユニットのチャンネルおよび制御演算ユニットのチャンネルが割り当てられ、同一のグループに割り当てられた入出力ユニットのチャンネルと制御演算ユニットのチャンネルとが、同一の背景色で表示されるので、同一のグループに属するチャンネルを容易に把握することができる。
【００２２】
(３)本発明の表示方法の他の実施形態では、前記制御演算ユニットは、前記グループを構成するチャンネル数の最大値が、予め定めた複数の値以外であるときには、使用できないチャンネルが生じるものである。
【００２３】
予め定めた複数の値は、制御演算ユニットの仕様などによって規定されるものである。この予め定めた複数の値が、例えば、４チャンネル、８チャンネル等である場合に、複数の各グループを構成するチャンネル数の最大値が、例えば、３チャンネルであれば、第１のグループの３チャンネルが、制御演算ユニットの最初の４チャンネルの内の３チャンネルに割り当てられて、１チャンネルが使用されない空きチャンネルとなり、第２のグループの３チャンネルは、制御演算ユニットの次の４チャンネルの内の３チャンネルに割り当てられ、１チャンネルが使用されない空きチャンネルとなる。
【００２４】
この実施形態によると、制御演算ユニットは、グループを構成するチャンネル数の最大値が、予め定めた複数の値以外であるときには、空きチャンネルが生じ、使用されるチャンネルにずれが生じることになるが、同一のグループに属するチャンネルは、同じ背景色で表示されるので、入出力ユニットと制御演算ユニットのチャンネルの対応関係を容易に把握できる。
【００２５】
(４)本発明の好ましい実施形態では、前記制御機器が、温度調節器である。
【００２６】
この実施形態によると、例えば、傾斜温度制御を行うグループに属する入出力ユニットのチャンネルと制御演算ユニットのチャンネルとの対応関係を一目で把握することができ、傾斜温度制御の制御パラメータや目標温度などの設定操作が容易になる。
【００２７】
(５)本発明の設定用プログラムは、複数の入出力ユニットと、各入出力ユニットからの入力に基づいて制御出力を演算して各入出力ユニットに与える制御演算ユニットとを備える制御機器に対する設定を、前記制御機器に接続されるコンピュータ装置から行うとともに、前記入出力ユニットのチャンネルと前記制御演算ユニットのチャンネルとの対応関係を、前記コンピュータ装置の表示手段に表示させる設定用プログラムであって、前記制御機器は、設定されるグループ毎に制御を行うものであり、前記表示手段に、前記入出力ユニットのチャンネルおよび前記制御演算ユニットの対応するチャンネルの背景色を、前記グループ毎に、異ならせて表示させるものである。
【００２８】
本発明によると、入出力ユニットのチャンネルと制御演算ユニットのチャンネルとの対応関係を、制御が行われるグループ毎に背景色を異ならせて表示するので、一目で、同一のグループに属するチャンネルを把握することができ、グループ毎に、パラメータなどを設定する際の設定操作が容易となる。
【００２９】
(６)本発明の設定用プログラムの一つの実施形態では、前記グループの設定に基づいて、前記入出力ユニットのチャンネルと前記制御演算ユニットのチャンネルとを対応させて、同一のグループを同一の背景色で表示させるものである。
【００３０】
この実施形態によると、グループの設定に基づいて、各グループ毎に、入出力ユニットのチャンネルおよび制御演算ユニットのチャンネルが割り当てられ、同一のグループに割り当てられた入出力ユニットのチャンネルと制御演算ユニットのチャンネルとが、同一の背景色で表示されるので、同一のグループに属するチャンネルを容易に把握することができる。
【００３１】
(７)本発明の設定用プログラムの他の実施形態では、前記制御演算ユニットは、前記グループを構成するチャンネル数の最大値が、予め定めた複数の値以外であるときには、使用できないチャンネルが生じるものである。
【００３２】
この実施形態によると、制御演算ユニットは、グループを構成するチャンネル数の最大値が、予め定めた複数の値以外であるときには、空きチャンネルが生じ、使用されるチャンネルにずれが生じることになるが、同一のグループに属するチャンネルは、同じ背景色で表示されるので、入出力ユニットと制御演算ユニットのチャンネルの対応関係を容易に把握できる。
【００３３】
(８)本発明の設定用プログラムの好ましい実施形態では、前記制御機器が、温度調節器である。
【００３４】
この実施形態によると、例えば、傾斜温度制御を行うグループに属する入出力ユニットのチャンネルと制御演算ユニットのチャンネルとの対応関係を一目で把握することができ、傾斜温度制御の制御パラメータや目標温度などの設定操作が容易になる。
【００３５】
(９)本発明の記録媒体は、上記(５)〜(８)のいずれかの設定用プログラムが記録されたものである。
【００３６】
ここで、記録媒体とは、例えば、フレキシブルディスク、ハードディスク、光ディスク、光磁気ディスク、ＣＤ−ＲＯＭ、磁気テープ、不揮発性のメモリカード、ＲＯＭなどをいう。
【００３７】
また、当該設定用プログラムを、ソフトウェアパッケージとして、あるいは、ネットワークを通して提供することができる。
【００３８】
本発明の記録媒体によると、当該設定用プログラムを、コンピュータに実行させることにより、入出力ユニットのチャンネルと制御演算ユニットのチャンネルとの対応関係を、制御が行われるグループ毎に背景色を異ならせて表示させることができ、一目で、同一のグループに属するチャンネルを把握することができ、グループ毎に、パラメータなどを設定する際の設定操作が容易となる。
【発明の効果】
【００３９】
本発明によれば、入出力ユニットのチャンネルと制御演算ユニットのチャンネルとの対応関係を、制御が行われるグループ毎に背景色を異ならせて表示するので、一目で、同一のグループに属するチャンネルを把握することができ、グループ毎に、パラメータなどを設定する際の設定操作が容易となる。
【発明を実施するための最良の形態】
【００４０】
以下、本発明の実施の形態について、図面に基づいて詳細に説明する。
【００４１】
（実施の形態１）
図１は、本発明の一つの実施の形態に係る設定用プログラムを用いた設定を行う場合のシステムの概略構成を示す図である。
【００４２】
この実施の形態では、制御機器としての温度調節器１に対してコンピュータ装置としての汎用のパソコン２からパラメータ等を設定する場合に適用して説明する。
【００４３】
温度調節器１は、ユーザの要求に応じた多点の温度制御ができるようにモジュール化されており、複数の入出力ユニット３−１，３−２…、制御演算ユニット４、および、終端ユニット５を備えている。
【００４４】
各入出力ユニット３−１，３−２…には、図示しない制御対象の温度を検出する温度センサ６および制御対象を加熱するヒータへの通電を制御するＳＳＲ（ソリッドステートリレー）等のアクチュエータ７が接続され、温度センサ６からの検出温度を制御演算ユニット４に与える一方、制御演算ユニット４からの制御出力を、アクチュエータ７に与えてヒータの通電を制御する。
【００４５】
制御演算ユニット４は、各入出力ユニット３−１，３−２…からの温度入力に基づいて、目標温度になるように操作量を演算し、その演算結果を、制御出力として各入出力ユニット３−１，３−２…に与える。
【００４６】
各入出力ユニット３−１，３−２…および制御演算ユニット４は、マイコンおよび通信回路等を内蔵している。
【００４７】
終端ユニット５は、各入出力ユニット３−１，３−２…および制御演算ユニット４に電源を供給するとともに、設定用ツールとしてのパソコン２と接続するための通信用ポートを有しており、通信ケーブル８を介してパソコン２に接続される。
【００４８】
パソコン２には、本発明に係る設定用プログラムが記録されたＣＤ−ＲＯＭなどの記録媒体がセットされ、パソコン２のキーボードやマウスを操作して温度調節器１に対して、傾斜温度制御や２自由度ＰＩＤ制御などの制御の種別、制御パラメータ、あるいは、目標温度などの設定を行うことが可能である。
【００４９】
パソコン２から温度調節器１に対する制御パラメータ等の設定は、基本的に従来例と同様に行われる。
【００５０】
すなわち、パラメータ等の設定項目がパソコン２の液晶ディスプレイ９に表示され、ユーザが、パソコン２のキーボード等を操作して設定項目に対応する設定データを入力し、この設定データを、通信ケーブル８を介して温度調節器１の制御演算ユニット４に送信して制御演算ユニット４の記憶部に書込んで設定を行うものである。
【００５１】
また、温度調節器１の制御演算ユニット４に既に書き込まれているパラメータ等を通信ケーブル８を介して受信して液晶ディスプレイ９に表示し、その内容を確認した上で、必要に応じて書き換えてもよい。
【００５２】
この実施形態では、図２に示すように、各入出力ユニット３−１，３−２は、制御点数が４点、すなわち、制御チャンネル数が、４チャンネルであり、制御演算ユニット４は、接続可能な最大のチャンネル数が、６４チャンネルである。
【００５３】
以下の説明では、入出力ユニットが２台接続されている場合の例を示す。なお、入出力ユニットは、例えば、２チャンネルのものを使用することもできる。
【００５４】
ユーザは、例えば、複数のヒータを備えるヒータブロックを単位として制御したいような場合があり、かかる場合には、ヒータブロックの複数のヒータに対応する複数のチャンネルをグループとして設定し、グループ単位で制御することになる。
【００５５】
かかる場合には、各入出力ユニット３−１，３−２のチャンネルと制御演算ユニット４の内部のチャンネルとを対応させるための設定操作が必要となる。
【００５６】
図３は、入出力ユニット３−１，３−２の６つのチャンネルをグループ１として制御し、入出力ユニット３−２の２つのチャンネルをグループ２として制御する場合の入出力ユニット３−１，３−２の各チャンネル１〜４，１〜４と制御演算ユニット４の内部のチャンネル１〜６４との対応関係を示す図である。
【００５７】
この例では、第１の入出力ユニット３−１のチャンネル１〜４および第２の入出力ユニット３−２のチャンネル１，２の６つのチャンネルでグループ１を構成し、入出力ユニット３−１，３−２の各チャンネル１〜４，１，２が、制御演算ユニット４のチャンネル１〜６に順番に割り当てられる。
【００５８】
この実施形態では、制御演算ユニット４は、グループとして制御するチャンネル数の最大値が、予め定めた値である４、８、１６、３２以外であるときには、使用できないチャンネルが発生する。この例では、グループ１のチャンネル数が、６チャンネルであるので、制御演算ユニット４のチャンネル１〜６に割り当てられ、チャンネル７，８は使用できない空きチャンネルとなり、グループ２の２つのチャンネルは、制御演算ユニット４のチャンネル９，１０に割り当てられる。
【００５９】
このように、制御演算ユニット４には、グループを構成するチャンネル数が、４、８、１６、３２以外であるときには、使用できない空きチャンネルが生じるので、入出力ユニット３−１，３−２の各チャンネルと制御演算ユニット４の各チャンネルとの対応関係が分かりにくいものとなる。
【００６０】
グループ単位で制御を行なうので、グループ毎に、例えば、傾斜温度や２自由度ＰＩＤ制御といった制御の種別、ＰＩＤ制御のパラメータ、あるいは、目標温度などの設定を行う必要がある。かかる設定には、入出力ユニット３−１，３−２のチャンネルおよび制御演算ユニット４のチャンネルがどのグループに属し、どのような対応関係になっているかを把握する必要があり、かかる対応関係が不明確であると、設定操作が面倒であるとともに、誤設定する虞もある。
【００６１】
そこで、この実施形態では、パソコン２の液晶ディスプレイ９に表示される設定画面では、制御演算ユニット４の内部のチャンネルと各入出力ユニット３−１，３−２のチャンネルとを、グループ毎に異なる背景色で表示するようにしている。
【００６２】
図４は、パソコン２の液晶ディスプレイ９に表示される設定画面を示し、図５は、その上段部分を拡大して示し、図６は、制御演算ユニット４の内部のチャンネル部分および入出力ユニットのチャンネル部分を拡大して示している。
【００６３】
すなわち、図４の設定画面では、図５にも示すように、上段の左側に、制御演算ユニット４のチャンネルを表示する矩形の表示領域Ａ１、中央寄りに入出力ユニット３−１，３−２のチャンネルを表示する矩形の表示領域Ａ２、右側にグループ設定の内容を表示する矩形の表示領域Ａ３を有している。
【００６４】
表示領域Ａ１には、操作によって、制御演算ユニット４のチャンネル１〜チャンネル６４まで表示することができ、図４および図５では、チャンネル１〜チャンネル４０が表示されている。
【００６５】
表示領域Ａ２には、第１の入出力ユニット３−１および第２の入出力ユニット３−２の番号（Ｎｏ．）と、製品型式（詳細形式）と、チャンネルＣＨ１〜ＣＨ４の各グループのチャンネルへの割り当てが表示されている。
【００６６】
表示領域Ａ３には、グレープの番号、グループを構成するチャンネル数、グループの制御の種別、グループの最初のチャンネルが割り当てられる入出力ユニットの番号（開始ユニットＮｏ．）、グループの最初のチャンネルが割り当てられる入出力ユニットのチャンネルが表示されている。
【００６７】
この実施形態では、制御演算ユニット４の内部のチャンネルおよび各入出力ユニット３−１，３−２のチャンネルを、グループ毎に、異なる背景色で表示するようにしている。
【００６８】
この例では、表示領域Ａ１の制御演算ユニット４の内部のチャンネルの内、グループ１に属するチャンネル１〜６は、例えば、ピンクの背景色（Ｐ）で表示し、グループ２に属するチャンネル９，１０は、例えば、黄色の背景色（Ｙ）で表示される。
【００６９】
また、表示領域Ａ２の第１，第２の入出力ユニット３−１，３−２のチャンネルの内、グループ１に属する第１の入出力ユニット３−１のチャンネル１〜４および第２の入出力ユニットのチャンネル１，２は、制御演算ユニット４と同様にピンクの背景色（Ｐ）で表示され、グループ２に属する第２の入出力ユニット３−２に属するチャンネル３，４は、制御演算ユニット４と同様に黄色の背景色（Ｙ）で表示される。また、背景色と共に、各グループにおけるチャンネル番号１〜６，１，２が表示される。
【００７０】
更に、この実施形態では、表示領域Ａ３のグループの設定内容も、各グループ毎に、上述と同様に、ピンク（Ｐ）あるいは黄色（Ｙ）の背景色で表示される。
【００７１】
この設定内容によれば、グループ１は、開始ユニットの番号が１、開始チャンネルが１であるので、第１の入出力ユニット３−１のチャンネル１（ＣＨ１）から始まることが分かる。また、グループ２は、開始ユニットの番号が２、開始チャンネルが３であるので、第２の入出力ユニット３−２のチャンネル３（ＣＨ３）から始まることが分かる。
【００７２】
このように、入出力ユニット３−１，３−２のチャンネルおよび制御演算ユニット４の対応するチャンネルが、グループ毎に同じ背景色で表示されるので、各グループに属する入出力ユニット３−１，３−２のチャンネルと、制御演算ユニット４の対応する内部のチャンネルとの対応関係を一目で把握することができ、各グループ毎の制御パラメータや目標温度などの設定を容易に行なうことが可能となる。
【００７３】
また、かかる設定内容を、携帯型のパソコンで確認しながら、各入出力ユニット３−１，３−２と温度センサ６やアクチュエータ７との配線作業を効率的に行うことも可能となる。
【００７４】
なお、制御演算ユニット４に設定した内容は、例えば、図７の画面例に示すように、上述の同様の表示領域Ａ１’，Ａ２’，Ａ３’を画面の下段に表示して確認することもできる。
【００７５】
図８は、以上の設定表示の手順を説明するためのフローチャートである。
【００７６】
先ず、入出力ユニットの構成、例えば、チャンネル数やユニットの番号などを設定する一方（ステップｎ１）、グループの設定を行う（ステップｎ２）。このグループの設定では、グループを構成するチャンネル数、グループにおける制御種別、グループの上述の開始ユニットの番号やチャンネル番号を設定する。
【００７７】
これらに基づいて、制御演算ユニットの内部のチャンネルと、各入出力の各チャンネルとの対応関係を導出する（ステップｎ３）。これによって、例えば、グループ１の第１〜第６のチャンネルが、制御演算ユニット４の内部のチャンネル１〜６に割り当てられる一方、第１の入出力ユニット３−１のチャンネル１〜４および第２の入出力ユニット３−２のチャンネル１，２に割り当てられる。また、グループ２の第１，第２のチャンネルが、制御演算ユニット４の内部のチャンネル９，１０に割り当てられる一方、第２の入出力ユニット３−２のチャンネル３，４に割り当てられる。
【００７８】
次に、同一のグループに割り付けられた制御演算ユニット４のチャンネルと入出力ユニット３−１，３−２のチャンネルとを同一の背景色で表示する（ステップｎ４）。
【産業上の利用可能性】
【００７９】
本発明は、制御機器に対する制御パラメータの通信設定などに有用である。
【図面の簡単な説明】
【００８０】
【図１】本発明の一つの実施の形態に係る設定用プログラムを用いた設定を行う場合のシステムの概略構成を示す図である。
【図２】図１の入出力ユニットおよび制御演算ユニットのチャンネルを示す図である。
【図３】グループ毎の入出力ユニットのチャンネルと制御演算ユニットのチャンネルとの対応関係を示す図である。
【図４】設定画面の一例を示す図である。
【図５】設定画面の上段を拡大して示す図である。
【図６】図５の設定画面の一部の拡大図である。
【図７】制御演算ユニットの設定データの読み出し画面の一例を示す図である。
【図８】設定表示の手順を説明するためのフローチャートである。
【符号の説明】
【００８１】
１                      温度調節器
２                      パソコン
３−１，３−２      入出力ユニット
４                      制御演算ユニット
６                      温度センサ
７                      アクチュエータ
９                      液晶ディスプレイ
【図１】
2008210090.tif 000003
【図２】
2008210090.tif 000004
【図３】
2008210090.tif 000005
【図４】
2008210090.tif 000006
【図５】
2008210090.tif 000007
【図６】
2008210090.tif 000008
【図７】
2008210090.tif 000009
【図８】
2008210090.tif 000010